(57)【要約】【課題】部品点数の増大や構造の複雑化を回避でき、更にはコストの上昇も抑制することができる自動販売機を提供する。【解決手段】自動販売機本体内に設けられた商品収納庫の前面開口を開閉する内扉１６と、内扉１６による前面開口の閉塞状態を保持するロック機構３０とを備え、ロック機構３０は、一端側に係合部３１２を有し回動可能なロックレバー３１と、ロックレバー３１の回動により係合部３１２が自動販売機本体１０の筐体側板３３の内面に係脱して内扉１６を施錠・解錠する自動販売機において、係合部３１２の側面３１ａを曲面状に形成するとともに、内扉１６の施錠状態で係合部３１２の側面３１ａが筐体側板３３の内面に接触するようロックレバー３１を形成してなる。これにより、係合部３１２と筐体側板３３の内面との間に生ずる摩擦抵抗が極めて小さくなる。【選択図】図２
2017134710.tif 000002
【特許請求の範囲】
【請求項１】
自動販売機本体内に設けられた商品収納庫の前面開口を開閉する内扉と、該内扉による前面開口の閉塞状態を保持するロック機構とを備え、該ロック機構は、一端側に係合部を有する回動可能なロックレバーと、該ロックレバーの回動により該係合部が該自動販売機本体の筐体側板の内面に係脱して該内扉を施錠・解錠する自動販売機において、
前記内扉の施錠状態で前記係合部の側面が前記筐体側板の内面に接触するよう前記ロックレバーを形成してなる
ことを特徴とする自動販売機。
【請求項２】
前記係合部の側面を曲面状に形成してなる
ことを特徴とする請求項１記載の自動販売機。
【請求項３】
前記内扉の施錠状態で、前記係合部の側面が前記筐体側板の内面に線接触するよう前記ロックレバーを形成してなる
ことを特徴とする請求項２記載の自動販売機。
【請求項４】
前記係合部の少なくとも一部に外側側面が曲面状に形成された曲げ部を有し、前記内扉の施錠状態で該曲げ部の外側側面が前記筐体側板の内面に接触するよう前記ロックレバーを形成してなる
ことを特徴とする請求項２記載の自動販売機。
【請求項５】
前記係合部は撓み可能な曲げ部を有する
ことを特徴とする請求項３記載の自動販売機。
【請求項６】
前記曲げ部は撓み可能に形成した
ことを特徴とする請求項４記載の自動販売機。
【発明の詳細な説明】
【技術分野】
【０００１】
本発明は、商品収納庫の開閉用内扉を施錠・解錠するロック機構を備えた自動販売機に関するものである。
【背景技術】
【０００２】
従来、この種の自動販売機として、自動販売機本体内に設けられた商品収納庫の前面開口を開閉する内扉と、内扉による前面開口の閉塞状態を保持するロック機構とを備えた自動販売機が知られている。
【０００３】
このロック機構は、施錠・解錠するために回動操作が可能なロックレバーと、ロックレバーの先端が係脱する自動販売機本体の筐体側板とを有するもので、次の操作により内扉を施錠・解錠している。
【０００４】
内扉を開操作するときは、ロックレバーを解錠する方向に回し、筐体側板からロックレバーの先端を離脱させる。これにより、内扉の施錠が解除される。他方、内扉を閉操作するときは、ロックレバーを施錠する方向に回し、ロックレバーの先端を筐体側板の内面に係合させ、これにより、内扉を筐体側板に施錠する。
【０００５】
このように、ロックレバーの回転操作により内扉の施錠・解錠操作が行われるが、この施錠・解錠操作が長期間に亘って繰り返される場合は、筐体側板のうちロックレバーの先端と係脱する部分が損傷したり、変形するという問題点を有していた。
【０００６】
このような問題点を解決するため、筐体側板のうちロックレバーの先端が係脱される箇所に保護用プレートを設置し、ロックレバーの先端を保護用プレートで受ける自動販売機が提案されている。
【先行技術文献】
【特許文献】
【０００７】
【特許文献１】特開２０１０−７３１０６号公報
【発明の概要】
【発明が解決しようとする課題】
【０００８】
しかしながら、前記従来の自動販売機では、保護用プレートを設ける分、ロック機構の部品点数が増加することはもとより、ロック機構の構造が複雑化し、更には製造コストが増大するという問題点を有していた。
【０００９】
本発明の目的は、前記従来の課題に鑑み、部品点数の増大や構造の複雑化を回避でき、更にはコストの上昇も抑制することができる自動販売機を提供することにある。
【課題を解決するための手段】
【００１０】
本発明は前記課題を解決するため、請求項１の発明は、自動販売機本体内に設けられた商品収納庫の前面開口を開閉する内扉と、内扉による前面開口の閉塞状態を保持するロック機構とを備え、ロック機構は、一端側に係合部を有し回動可能なロックレバーと、ロックレバーの回動により該係合部が自動販売機本体の筐体側板の内面に係脱して内扉を施錠・解錠する自動販売機において、内扉の施錠状態で係合部の側面が筐体側板の内面に接触するようロックレバーを形成してなる。
【００１１】
請求項１の発明によれば、内扉の施錠状態において、係合部の側面が筐体側板の内面に接触しているため、係合部と筐体側板の内面との間に生ずる摩擦抵抗が、従来の如きロックレバーの先端で係止する場合と比較して小さくなる。
【００１２】
請求項２の発明によれば、係合部の側面を曲面状に形成してなるため、係合部の側面の摩擦抵抗が更に小さくなる。
【００１３】
請求項３の発明によれば、係合部と筐体側板との間が線接触となっているため、係合部と筐体側板との間の接触面積が広くなり、その分、係合部から筐体側板に加わる圧力が分散され、筐体側板の単位面積当たりの押圧力が小さくなる。
【００１４】
請求項４の発明によれば、係合部の少なくとも一部に外側側面が曲面状に形成された曲げ部を有し、内扉の施錠状態で該曲げ部の外側側面が前記筐体側板の内面に接触するため、係合部の側面の曲面による摩擦抵抗が低減されることはもとより、曲げ部の外側側面に形成された曲面によっても摩擦抵抗が低減される。
【００１５】
なお、係合部（曲げ部を含む）を撓み可能に形成するようにしても良い（請求項５，６）。
【発明の効果】
【００１６】
本発明によれば、係合部と筐体側板の内面との間に生ずる摩擦抵抗が小さくなり、ロックレバーの施錠・解錠操作によって筐体側板の損傷や変形を防止することができるため、従来の如き保護用プレートを設ける必要がない。
【図面の簡単な説明】
【００１７】
【図１】外扉、上部側内扉及び下部側内扉を開放した状態の自動販売機の全体斜視図
【図２】ロック機構を示す自動販売機の要部斜視図
【図３】ロック機構のロックレバーを示す斜視図
【図４】ロック機構の筐体側板を示す斜視図
【図５】ロック機構のロックレバーと筐体側板との係合状態を示す断面図
【図６】第１変形例に係るロックレバーを示す省略断面斜視図
【図７】第１変形例に係るロックレバーと筐体側板との係合状態を示す断面図
【図８】第２変形例に係るロックレバーを示す省略断面斜視図
【図９】第２変形例に係るロックレバーと筐体側板との係合状態を示す断面図
【図１０】第３変形例に係るロックレバーを示す省略断面斜視図
【図１１】第３変形例に係るロックレバーと筐体側板との係合状態を示す断面図
【図１２】第４変形例に係るロックレバーを示す省略断面斜視図
【図１３】第４変形例に係るロックレバーと筐体側板との係合状態を示す断面図
【図１４】第５変形例に係るロックレバーを示す省略断面斜視図
【図１５】第５変形例に係るロックレバーと筐体側板との係合状態を示す断面図
【図１６】第６変形例に係るロックレバーを示す省略断面斜視図
【図１７】第６変形例に係るロックレバーと筐体側板との係合状態を示す断面図
【図１８】第７変形例に係るロックレバーを示す省略断面斜視図
【図１９】第７変形例に係るロックレバーと筐体側板との係合状態を示す断面図
【発明を実施するための形態】
【００１８】
図１乃至図１９は本発明の一実施形態を示すものである。本発明の要部である、自動販売機のロック機構を説明するにあたり、まず、自動販売機の概略構成を図１を参照して説明する。
【００１９】
この自動販売機は、前面側が開口された自動販売機本体１０と、自動販売機本体１０の前面開口を開閉する外扉２０とを備え、外扉２０の幅方向一端側が自動販売機本体１０の前面側の幅方向一端側に回転自在に支持されている。
【００２０】
自動販売機本体１０の内部には、上面側、底面側、背面側及び左右両側面側が断熱壁によって囲まれた商品収納庫１１が設けられ、商品収納庫１１は断熱性の仕切板１２によって幅方向に仕切られている。仕切板１２によって仕切られた商品収納庫１１内には、周知のサーペンタイン式の商品収納コラム１３が複数設けられている。また、商品収納庫１１の下部には、各商品収納コラム１３から落下搬出された商品を前方に案内するための傾斜板１４が前方に向かって下り傾斜を成すように設けられている。
【００２１】
商品収納庫１１の前面には、それぞれ断熱性を有し、商品収納庫１１の前面上部側を開閉するための上部側内扉１５と、商品収納庫１１の前面下部側を開閉するための下部側内扉１６が設けられている。また、下部側内扉１６の下部には、商品収納庫１１側と外扉２０側とを連通する商品搬出口１６ａが左右方向に並設されている。各商品搬出口１６ａには搬出扉１６ｂが回転自在に支持されており、傾斜板１４によって前方に案内される商品が搬出扉１６ｂを開方向に回転させ、商品を商品取出口２１に搬出するようになっている。
【００２２】
上部側内扉１５は、外扉２０の背面側に取り付けられており、外扉２０を開閉することにより、上部側内扉１５によって商品収納庫１１の前面上部が開閉されるようになっている。
【００２３】
また、下部側内扉１６は幅方向一端側が自動販売機本体１０の幅方向一端側に回転自在に支持されており、下部側内扉１６の幅方向他端側には自動販売機本体１０の筐体側板３３と共同して商品収納庫１１の前面開口の下部側を閉塞状態に保持するロック機構３０をを設けている。
【００２４】
以上のように構成された自動販売機において、本発明はロック機構３０に特徴的構成を有する。以下、ロック機構３０の実施例を図２乃至図５を参照して説明する。なお、以降断りのない限り下側内扉１６の施錠（閉鎖）状態を基準に説明する。
【００２５】
ロック機構３０は、図２、図３及び図５(a)(b)に示すように、棒状のロックレバー３１と、ロックレバー３１を下部側内扉１６の前面にねじ止めした支持部材３２と、ロックレバー３１が係合される筐体側板３３とから構成される。
【００２６】
ロックレバー３１は、その側面３１ａが曲面状となっている金属製の丸棒で形成されており、下部側内扉１６の前面に沿って横方向に延在した軸部３１１と、軸部３１１の一端から手前側に向かって略逆Ｌ字状に延在した係合部３１２と、軸部３１１の他端から下方に向かって略Ｌ字状に延在した操作部３１３とからなる。ここで、係合部３１２は、下部側内扉１６の前面に対して前方に向かって延びる腕部３１２ａと、腕部３１２ａの先端から軸部３１１と平行（後述する筐体側板３３の受け板３３１の内面３３１ａと平行）に操作部３１３側に向かって延びる接触部３１２ｂとを有している。
【００２７】
支持部材３２は塑性変形可能な金属製の板状部材からなるもので、折り重ねた２枚の板の間に筒状の軸支持部３２１を形成し、この軸支持部３２１にロックレバー３１の軸部３１１を軸方向に移動自在でかつ径方向に回動自在に支持している。軸支持部３２１の軸方向一端側には上下に延びるストッパ部３２２を形成している。このストッパ部３２２によって、ロックレバー３１の操作部３１３の左右方向への移動を規制し、下部側内扉１６を閉塞状態に保持するようになっている。
【００２８】
筐体側板３３は自動販売機本体１０の筐体を形成する部材で、図２、図４及び図５(a)(b)に示すように、金属板を断面矩形に折り曲げて内側を中空に形成し、前面には上下に延在し幅方向に向かって軸部３１１と平行になっている受け板３３１を有する。また、筐体側板３３は受け板３３１の一端から軸部３１１に対して直交する方向に屈曲した内側板３３２を有する。この内側板３３２には係合部３１２が挿抜可能な略四角形状の貫通穴３３３を有し、貫通穴３３３を通じて軸部３１１が貫通している。このように、軸部３１１が係合部３１２が挿抜可能な貫通穴３３３に貫通することにより、係合部３１２が筐体側板３３の内側に配置され、ロックレバー３１（係合部３１２）の側面３１ａが筐体側板３３（受け板３３１）の内面３３１ａに平行に配置される。
【００２９】
以上のように構成された自動販売機において、下部側内扉１６の施錠操作を行うときは、ロックレバー３１を次のように操作する。即ち、ロックレバー３１の操作部３１３を上方に持ち上げて回転させ、更に、ロックレバー３１を筐体側板３３方向に移動させる。これにより、係合部３１２が貫通穴３３３を通じて筐体側板３３の内側に移動する。続いて、操作部３１３を下方に向かって回転させる。これにより、係合部３１２（接触部３１２ｂ）の側面３１ａが受け板３３１の内面３３１ａに対向して接触する。他方、下部側内扉１６の解錠操作を行うときは、前述のロックレバー３１の操作を逆に行えば良い。
【００３０】
このような、下部側内扉１６の施錠操作において、ロックレバー３１と筐体側板３３との係合構造は図５(a)(b)に示すようになる。ここで、図５(a)は係合部３１２と筐体側板３３との係合状態を上方から見た状態を示しており、図５(b)は係合部３１２と筐体側板３３との係合状態を横方向（図５(a)のＢ−Ｂ線矢印方向）から見た状態を示している。
【００３１】
即ち、ロックレバー３１の係合部３２１（接触部３１２ｂ）の側面３１ａが筐体側板３３（受け板３３１）の内面３３１ａに係合するとき、左右方向においては、接触部３１２ｂの側面３１ａは受け板３３１の内面３３１ａに対して線接触しており（図５(a)を参照）、他方、上下方向においては、接触部３１２ｂの側面３１ａは受け板３３１の内面３３１ａに対して曲面接触している（図５(b)を参照）。
【００３２】
以上のように、本実施例に係るロック機構３０によれば、係合部３１２と筐体側板３３との接触状態が線接触と曲面接触となっているため、係合部３１２と筐体側板３３との間に生ずる摩擦抵抗が非常に小さく、筐体側板３３の傷つきや変形を防止することができる。
【００３３】
また、係合部３１２と筐体側板３３との間が線接触となっているため、係合部３１２と筐体側板３３との間の接触面積が広くなり、その分、係合部３１２から筐体側板３３に加わる圧力が分散され、筐体側板３３の単位面積当たりの押圧力が小さくなる。これにより、外部からの振動や衝撃が加わり、ロックレバー３１から筐体側板３３に大きな力が加わったとしても、筐体側板３３が損傷したり変形したりすることがない。
【００３４】
図６及び図７は係合部の第１変形例を示すものである。前記ロックレバー３１と同一構成部分の説明は省略し異なる構造部分を以下に説明する。なお、第１変形例の説明に当たり、図３及び図５と同一構成部分は同一符号をもって説明する。
【００３５】
第１変形例に係る係合部３４１は、筐体側板３３の受け板３３１に向かって延びる腕部３４１ａと、腕部３４１ａの先端から軸部３１１と平行（受け板３３１の内面３３１ａと平行）に操作部３１３側とは逆方向に向かって延びる接触部３４１ｂとを有している。
【００３６】
ここで、図７(a)は係合部３４１と筐体側板３３との係合状態を上方から見た状態を示しており、図７(b)は係合部３４１と筐体側板３３との係合状態を横方向（図７(a)のＢ−Ｂ線矢印方向）から見た状態を示している。
【００３７】
即ち、係合部３４１（接触部３４１ｂ）の側面３１ａが筐体側板３３（受け板３３１）の内面３３１ａに係合するとき、左右方向においては、接触部３４１ｂの側面３１ａは受け板３３１の内面３３１ａに対して線接触しており（図７(a)を参照）、他方、上下方向においては、接触部３４１ｂの側面３１ａは受け板３３１の内面３３１ａに対して曲面接触している（図７(b)を参照）。
【００３８】
以上のように、第１変形例に係る係合部３４１によれば、前述の係合部３１２と同様に、係合部３４１と筐体側板３３との接触状態が線接触と曲面接触となっているため、係合部３４１と筐体側板３３との間に生ずる摩擦抵抗が非常に小さく、筐体側板３３の傷つきや変形を防止することができるし、また、外部からの振動や衝撃が加わり、係合部３４１から筐体側板３３に大きな力が加わったとしても、筐体側板３３が損傷したり変形したりすることがない。
【００３９】
図８及び図９は係合部の第２変形例を示すものである。前記ロックレバー３１と同一構成部分の説明は省略し異なる構造部分を以下に説明する。なお、第２変形例の説明に当たり、図３及び図５と同一構成部分は同一符号をもって説明する。
【００４０】
第２変形例に係る係合部３４２は、筐体側板３３の受け板３３１に向かって「く」の字状に延び曲げ部を有する腕部３４２ａと、腕部３４２ａの先端から軸部３１１と平行（受け板３３１の内面３３１ａと平行）に操作部３１３側に向かって延びる接触部３４２ｂとを有している。
【００４１】
ここで、図９(a)は係合部３４２と筐体側板３３との係合状態を上方から見た状態を示しており、図９(b)は係合部３４２と筐体側板３３との係合状態を横方向（図９(a)のＢ−Ｂ線矢印方向）から見た状態を示している。
【００４２】
即ち、係合部３４２（接触部３４２ｂ）の側面３１ａが筐体側板３３（受け板３３１）の内面３３１ａに係合するとき、左右方向においては、接触部３４２ｂの側面３１ａは受け板３３１の内面３３１ａに対して線接触しており（図９(a)を参照）、他方、上下方向においては、接触部３４２ｂの側面３１ａは受け板３３１の内面３３１ａに対して曲面接触している（図９(b)を参照）。
【００４３】
以上のように、第２変形例に係る係合部３４２によれば、前述の係合部３１２と同様に、係合部３４２と筐体側板３３との接触状態が線接触と曲面接触となっているため、係合部３４２と筐体側板３３との間に生ずる摩擦抵抗が非常に小さく、筐体側板３３の傷つきや変形を防止することができるし、また、外部からの振動や衝撃が加わり、係合部３４２から筐体側板３３に大きな力が加わったとしても、筐体側板３３が損傷したり変形したりすることがない。
【００４４】
図１０及び図１１は係合部の第３変形例を示すものである。前記ロックレバー３１と同一構成部分の説明は省略し異なる構造部分を以下に説明する。なお、第３変形例の説明に当たり、図３及び図５と同一構成部分は同一符号をもって説明する。
【００４５】
第３変形例に係る係合部３４３は、筐体側板３３の受け板３３１に向かって略円形状に曲げてなるもので、係合部３４３の全体が曲げ部３４３ａとなっており、曲げ部３４３ａの外側側面３４３ｂが曲面状に形成されている。
【００４６】
ここで、図１１(a)は係合部３４３と筐体側板３３との係合状態を上方から見た状態を示しており、図１１(b)は係合部３４３と筐体側板３３との係合状態を横方向（図１１(a)のＢ−Ｂ線矢印方向）から見た状態を示している。
【００４７】
即ち、係合部３４３（曲げ部３４３ａ）の外側側面３４３ｂが筐体側板３３（受け板３３１）の内面３３１ａに係合するとき、左右方向においては、曲げ部３４３ａの外側側面３４３ｂは受け板３３１の内面３３１ａに対して曲面接触しており（図１１(a)を参照）、他方、上下方向においても、係合部３４３の外側側面３４３ｂは受け板３３１の内面３３１ａに対して曲面接触している（図１１(b)を参照）。
【００４８】
以上のように、第３変形例に係る係合部３４３によれば、係合部３４３と筐体側板３３との接触状態が左右及び上下の何れも曲面接触となっているため、係合部３４２と筐体側板３３との間に生ずる摩擦抵抗が非常に小さく、筐体側板３３の傷つきや変形を防止することができる。
【００４９】
また、前述の係合部３１２，３４１，３４２と異なり線接触部分がないため、係合部３４３と筐体側板３３との接触面積が小さい分、たとえ、傷つきや変形が起こったとしてもその範囲は極めて小さな範囲で済む。
【００５０】
図１２及び図１３は係合部の第４変形例を示すものである。前記ロックレバー３１と同一構成部分は省略し異なる構造部分を以下に説明する。なお、第４変形例の説明に当たり、図３及び図５と同一構成部分は同一符号をもって説明する。
【００５１】
第４変形例に係る係合部３４４は、筐体側板３３の受け板３３１に向かって略半円形状に曲げて形成し曲げ部を備えた腕部３４４ａと、腕部３４４ａの先端から軸部３１１と平行（受け板３１１の内面と平行）に操作部３１３側に向かって延びる接触部３４４ｂとを有している。
【００５２】
ここで、図１３(a)は係合部３４４と筐体側板３３との係合状態を上方から見た状態を示しており、図１３(b)は係合部３４４と筐体側板３３との係合状態を横方向（図１３(a)のＢ−Ｂ線矢印方向）から見た状態を示している。
【００５３】
即ち、係合部３４４（接触部３４４ｂ）の側面３１ａが筐体側板３３（受け板３３１）の内面３３１ａに係合するとき、左右方向においては、接触部３４４ｂの側面３１ｂは受け板３３１の内面３３１ａに対して線接触しており（図１３(a)を参照）、他方、上下方向においては、係合部３４４の側面３１ａは受け板３３１の内面３３１ａに対して曲面接触している（図１３(b)を参照）。
【００５４】
以上のように、第４変形例に係る係合部３４４によれば、前述の係合部３１２と同様に、係合部３４４と筐体側板３３との接触状態が線接触と曲面接触となっているため、係合部３４４と筐体側板３３との間に生ずる摩擦抵抗が非常に小さく、筐体側板３３の傷つきや変形を防止することができるし、また、外部からの振動や衝撃が加わり、係合部３４２から筐体側板３３に大きな力が加わったとしても、筐体側板３３が損傷したり変形したりすることがない。
【００５５】
図１４及び図１５は係合部の第５変形例を示すものである。前記ロックレバー３１と同一構成部分は省略し異なる構造部分を以下に説明する。なお、第５変形例の説明に当たり、図３及び図５と同一構成部分は同一符号をもって説明する。
【００５６】
第５変形例に係る係合部３４５は、筐体側板３３の受け板３３１に向かって略「く」の字状に曲げて形成し、係合部３４５の一部が曲げ部３４５ａとなっており、曲げ部３４５ａの外側側面３４５ｂが曲面状に形成されている。
【００５７】
ここで、図１５(a)は係合部３４５と筐体側板３３との係合状態を上方から見た状態を示しており、図１５(b)は係合部３４５と筐体側板３３との係合状態を横方向（図１５(a)のＢ−Ｂ線矢印方向）から見た状態を示している。
【００５８】
即ち、係合部３４５（曲げ部３４５ａ）の外側側面３４５ｂが筐体側板３３（受け板３３１）の内面３３１ａに係合するとき、左右方向においては、曲げ部３４５ａの外側側面３４５ｂは受け板３３１の内面３３１ａに対して曲面接触しており（図１５(a)を参照）、他方、上下方向においても、係合部３４５の外側側面３４５ｂは受け板３３１の内面３３１ａに対して曲面接触している（図１５(b)を参照）。
【００５９】
以上のように、第５変形例に係る係合部３４５によれば、係合部３４５と筐体側板３３との接触状態が左右及び上下の何れも曲面接触となっているため、係合部３４５と筐体側板３３との間に生ずる摩擦抵抗が非常に小さく、筐体側板３３の傷つきや変形を防止することができるし、また、たとえ、傷つきや変形が起こったとしてもその範囲は極めて小さな範囲で済む。
【００６０】
図１６及び図１７は係合部の第６変形例を示すものである。前記ロックレバー３１と同一構成部分は省略し異なる構造部分を以下に説明する。なお、第６変形例の説明に当たり、図３及び図５と同一構成部分は同一符号をもって説明する。
【００６１】
第６変形例に係る係合部３４６は、筐体側板３３の受け板３３１に向かってくさび状に曲げて形成し、係合部３４６の一部が曲げ部３４６ａとなっており、曲げ部３４６ａの外側側面３４６ｂが曲面状に形成されている。
【００６２】
ここで、図１７(a)は係合部３４６と筐体側板３３との係合状態を上方から見た状態を示しており、図１７(b)は係合部３４６と筐体側板３３との係合状態を横方向（図１７(a)のＢ−Ｂ線矢印方向）から見た状態を示している。
【００６３】
即ち、係合部３４６（曲げ部３４６ａ）の外側側面３４６ｂが筐体側板３３（受け板３３１）の内面３３１ａに係合するとき、左右方向においては、曲げ部３４６ａの外側側面３４６ｂは受け板３３１の内面３３１ａに対して曲面接触しており（図１７(a)を参照）、他方、上下方向においても、係合部３４６の外側側面３４６ｂは受け板３３１の内面３３１ａに対して曲面接触している（図１７(b)を参照）。
【００６４】
以上のように、第６変形例に係る係合部３４６によれば、係合部３４６と筐体側板３３との接触状態が左右及び上下の何れも曲面接触となっているため、係合部３４６と筐体側板３３との間に生ずる摩擦抵抗が非常に小さく、筐体側板３３の傷つきや変形を防止することができるし、また、たとえ、傷つきや変形が起こったとしてもその範囲は極めて小さな範囲で済む。
【００６５】
図１８及び図１９は係合部の第７変形例を示すものである。前記ロックレバー３１と同一構成部分は省略し異なる構造部分を以下に説明する。なお、第７変形例の説明に当たり、図３及び図５と同一構成部分は同一符号をもって説明する。
【００６６】
第７変形例に係る係合部３４７は、筐体側板３３の受け板３３１に向かって上下方向に略Ｕ字状に曲げて形成し、係合部３４７の一部が曲げ部３４７ａとなっており、曲げ部３４７ａの外側側面３４７ｂが曲面状に形成されている。
【００６７】
ここで、図１９(a)は係合部３４７と筐体側板３３との係合状態を上方から見た状態を示しており、図１９(b)は係合部３４７と筐体側板３３との係合状態を横方向（図１９(a)のＢ−Ｂ線矢印方向）から見た状態を示している。
【００６８】
即ち、係合部３４７（曲げ部３４７ａ）の外側側面３４７ｂが筐体側板３３（受け板３３１）の内面３３１ａに係合するとき、左右方向においては、曲げ部３４７ａの外側側面３４７ｂは受け板３３１の内面３３１ａに対して曲面接触しており（図１９(a)を参照）、他方、上下方向においても、係合部３４７の外側側面３４７ｂは受け板３３１の内面３３１ａに対して曲面接触している（図１９(b)を参照）。
【００６９】
以上のように、第７変形例に係る係合部３４７によれば、係合部３４７と筐体側板３３との接触状態が左右及び上下の何れも曲面接触となっているため、係合部３４７と筐体側板３３との間に生ずる摩擦抵抗が非常に小さく、筐体側板３３の傷つきや変形を防止することができるし、また、たとえ、傷つきや変形が起こったとしてもその範囲は極めて小さな範囲で済む。
【００７０】
なお、前記第２変形例乃至第７変形例のロックレバー３１の係合部３４２，３４３，３４４，３４５，３４６，３４７の構成によれば、「く」の字状、くさび状、「Ｕ」字状、半円形状、略円形状などに曲げ、自動販売機本体１０の前後方向に撓み可能となっているため、外部から振動や衝撃が加わったとしても、係合部３４２，３４３，３４４，３４５，３４６，３４７がこれを吸収し、係合部３４２，３４３，３４４，３４５，３４６，３４７によって筐体側板３３が損傷したり変形したりすることがない。また、係合部３１２，３４１，３４２，３４３，３４４，３４５，３４６，３４７を形成する際、ロックレバー３１を単に曲げるだけで良く、極めて簡単な曲げ加工により、筐体側板３３への線接触構造及び面接触構造を実現することができる。
【００７１】
また、前記第２変形例乃至第７変形例のロックレバー３１は丸棒で形成され、係合部３４２，３４３，３４４，３４５，３４６，３４７の断面が何れも円形状となっているが、これに限るものではない。図示しないが、係合部の断面が楕円形状となっている場合でも良く、この係合部断面が曲面状（楕円形状）となっている以上、円形状の場合と同様の作用効果を発揮する。
【００７２】
更に、同じく図示しないが、係合部の断面が多角形状(例えば、三角形、四角形、六角形、八角形、Ｄ形（丸棒の一部を平面上に切断した形状）等）でも良く、ここで、係合部の側面のうち筐体側板３３と接触する部位は、平面部又は角部の何れであっても良い。係合部の平面部が筐体側板３３に接触するときは、筐体側板３３の傷つきや変形を起こすことがない。また、角部が筐体側板３３に接触する場合においても、角部が筐体側板３３に線接触状態となっており、従来の如きロックレバー３１の先端接触（一点接触）と比較し、接触長さが大きくなっているため、筐体側板３３への衝撃等が緩和される。更に、係合部を多角形状に形成する方法として、引き抜き加工や押出加工が採用されるが、これら加工方法により形成された係合部の角部は通常Ｒ形状に加工され曲面状に形成されているため、係合部の角部と筐体側板３３との間で起こる傷つき等はさほど大きなものとはならない。
【符号の説明】
【００７３】
１０…自動販売機本体、１１…商品収納庫、１６…下部側内扉、３０…ロック機構、３１…ロックレバー、３１ａ…ロックレバーの側面、３１２、３４１，３４２，３４３，３４４，３４５，３４６，３４７…係合部、３３…筐体側板、３３１ａ…筐体側板の内面、３４３ａ，３４５ａ，３４６ａ，３４７ａ…曲げ部、３４３ｂ，３４４ｂ，３４５ｂ，３４６ｂ，３４７ｂ…外側側面。
【図１】
2017134710.tif 000003
【図２】
2017134710.tif 000004
【図３】
2017134710.tif 000005
【図４】
2017134710.tif 000006
【図５】
2017134710.tif 000007
【図６】
2017134710.tif 000008
【図７】
2017134710.tif 000009
【図８】
2017134710.tif 000010
【図９】
2017134710.tif 000011
【図１０】
2017134710.tif 000012
【図１１】
2017134710.tif 000013
【図１２】
2017134710.tif 000014
【図１３】
2017134710.tif 000015
【図１４】
2017134710.tif 000016
【図１５】
2017134710.tif 000017
【図１６】
2017134710.tif 000018
【図１７】
2017134710.tif 000019
【図１８】
2017134710.tif 000020
【図１９】
2017134710.tif 000021